(57)【要約】【課題】シングル編機と同時に給糸時に給糸部材の動きがダイヤル針と干渉する事態の生ずることがなく、移動することが出来、より小型でより多種の給糸を行うことの出来る給糸装置を得る。【解決手段】アクチエータにより選択されて作動するセレクタープレートと、セレクタープレートの作動によりフィンガープレート移動カム軌跡内にバットを進出し、同カムにより変位させられるフィンガープレートと、一支点を中心に揺動自在にサイドプレートに支持され、かつ、フィンガープレートに枢着され、フィンガープレートの変位に従って揺動するシザースプレートと、シザースプレートに設けた固定刃，可動刃，糸押えプレート及び可動刃を固定刃に対し作動させるロータリーハンマーを有する糸切断把持部材とよりなる糸案内手段を、シリンダ針の針列上にシリンダ針の針列とシザースプレートの揺動方向とが直交する方向を向けて設けた。【選択図】図１
2007270365.tif 000002
【特許請求の範囲】
【請求項１】
アクチエータにより選択されて作動するセレクタープレートと、セレクタープレートの作動によりフィンガープレート移動カム軌跡内にバットを進出し、同カムにより変位させられるフィンガープレートと、一支点を中心に揺動自在にサイドプレートに支持され、かつ、フィンガープレートに枢着され、フィンガープレートの変位に従って揺動するシザースプレートと、シザースプレートに設けた固定刃，可動刃，糸押えプレート及び可動刃を固定刃に対し作動させるロータリーハンマーを有する糸切断把持部材とよりなる糸案内手段を、シリンダ針の針列上にシリンダ針の針列とシザースプレートの揺動方向とが直交する方向を向けて設けたことを特徴とする編機における給糸装置。
【発明の詳細な説明】
【技術分野】
【０００１】
本発明は、丸編機における給糸装置に関する。
【背景技術】
【０００２】
丸編機は、ダブル編機とシングル編機の２種に大別されるが、いずれもシリンダーの周縁の複数位置に単位給糸装置を配し、各単位給糸装置ごとに複数の糸を保持し、構成すべき編地の柄等に応じて適宜使用する糸を選択して給糸位置に導き給糸し編地を編成している。上記各単位給糸装置は、それぞれに設けられた複数の糸案内腕の内所定主の糸を持つ糸案内腕が選択され作動し、保持する糸を編成位置に出し、所定糸による編成が終了した際には編成位置に出ている糸案内腕を退去させて糸を編成位置から退去させている。
【０００３】
ここにおいて、従来のダブル編機の給糸装置は、給糸時に、糸案内腕の動きがダイヤル針と干渉しないようにダイヤル針を迂回して給糸する迂回路方式を採用しているために揺動腕等の給糸部材の動きを、円弧を描いて編機の編成部を大きく避ける動作をさせざるを得ず、機構上大きなストロークを溶し、編機全体が大型になる欠点があった。（特許文献１参照）。また、機構が大型となり事実上給糸の種類が限定されることにもなった。
【特許文献１】特公昭５８−５５２６１号公報
【発明の開示】
【発明が解決しようとする課題】
【０００４】
本発明は上記の点に鑑みて、シングル編機と同時に給糸時に給糸部材の動きがダイヤル針と干渉する事態の生ずることがなく、移動することが出来、より小型でより多種の給糸を行うことの出来る給糸装置を得ることを目的とする。
【課題を解決するための手段】
【０００５】
アクチエータにより選択されて作動するセレクタープレートと、セレクタープレートの作動によりフィンガープレート移動カム軌跡内にバットを進出し、同カムにより変位させられるフィンガープレートと、一支点を中心に揺動自在にサイドプレートに支持され、かつ、フィンガープレートに枢着され、フィンガープレートの変位に従って揺動するシザースプレートと、シザースプレートに設けた固定刃，可動刃，糸押えプレート及び可動刃を固定刃に対し作動させるロータリーハンマーを有する糸切断把持部材とよりなる糸案内手段を、シリンダ針の針列上にシリンダ針の針列とシザースプレートの揺動方向とが直交する方向を向けて設けた。
【発明の効果】
【０００６】
本発明編機における給糸装置は、アクチエータにより選択されて作動するセレクタープレートと、セレクタープレートの作動によりフィンガープレート移動カム軌跡内にバットを進出し、同カムにより変位させられるフィンガープレートと、一支点を中心に揺動自在にサイドプレートに支持され、かつ、フィンガープレートに枢着され、フィンガープレートの変位に従って揺動するシザースプレートと、シザースプレートに設けた固定刃，可動刃，糸押えプレート及び可動刃を固定刃に対し作動させるロータリーハンマーを有する糸切断把持部材とよりなる糸案内手段を、シリンダ針の針列上にシリンダ針の針列とシザースプレートの揺動方向とが直交する方向を向けて設けたとしたために、ダブル編機に設置した場合であっても、給糸手段先端の移行軌跡が、ダイヤル針と干渉することなく小さいストロークで糸を案内することが可能となった。
【発明を実施するための最良の形態】
【０００７】
本発明の実施の形態を図面と共に次に説明する。
図１に示す本発明給糸装置１は、その一側のサイドプレート２を取り外した状態の側面を見せている。給糸装置１の下位に示すシリンダ針３はシリンダ針列の１本を示し、針列は図面紙面と直交する方向に円環状に延びているものとする。図示の針位置は針が最も上昇した位置である。
尚、ダイヤル針は省略している。
【０００８】
給糸装置１はブラケット４によって丸編機フレームの一部をなす固定フランジに取り付けられている。給糸装置１の上位にはシリンダ針３を支持するシリンダ５と同期回転するように図示しない中央回転軸に連結した編機ヨーク等にアクチエータ６が取り付けられている。図示の例ではアクチエータは６機設けられ、それぞれ揺動爪７を突出し、アクチエータの作動時爪はそれぞれ斜め状態となる。アクチエータ６に対位してその下位にセレクターが設けてある。
【０００９】
セレクターは複数枚のセレクタープレート８を有し（図示の例は６枚）、各セレクタープレート８に設置された位置の異なるセレクターバット９をアクチエータ６側に突出している。セレクタープレート８と対応する位置のアクチエータ６の揺動爪７が揺動したとき、該揺動爪７とそれに対応する位置にあるセレクターバット９が当接し、該バット９を有するセレクタープレート８は押し下げられるようにしている。
【００１０】
図示の例では、セレクタープレート８は６枚が重ね合わされた状態でピン１０，１０に上下摺動自在に挿通され、それぞれ下部に個別に当接するスプリング１１により上方に付勢され図１に示す位置を保っている。セレクタープレート８の側面には２個所に凹部が設けられ、それぞれにＬ字形のロックレバー１２，１３が嵌合している。ロックレバー１２，１３は揺動自在でセレクタープレート８と嵌合しない自由端は、後述するフィンガープレート１４の押出用バット１５と当接するようにしている。
【００１１】
フィンガープレート１４は中央に設けた一対のコ字状孔１６と長孔１７とのそれぞれに挿通したピン１８，１９に案内されて上下昇降動することを可能にサイドプレート２，２間に設けられ、上昇位置又は下降位置への固定はそれぞれ位置決めスプリング２０と、フィンガープレート１４の側縁に設けた凹部２１，２２とを係合させることにより行われる。フィンガープレート１４の頂部側縁には昇降バット２３が設けられ、昇降バット２３はフィンガープレート作動カム２４，２５と係合可能としている。カム２４はフィンガープレート１４を引き下げ、カム２５は上昇させる。
【００１２】
フィンガープレート１４を案内しているピン１９には更にシーザースプレート２６が揺動自在に枢支されている。そしてフィンガープレート１４とシーザースプレート２６とは、ピン２７でも緩嵌合されている。
シーザースプレート２６は角柱状に突出した先端部位に凹部を形成してなる糸路２８を固定刃２９とし、固定刃２９の上面には糸押さえプレート３０と該プレート３０を、固定刃２９に押し当てる板ばね３１を、固定刃２９下面には可動刃３２を当接して設け、前記糸押さえプレート３０，板ばね３１，可動刃３２は、一体的に固定刃２９に対して摺動出来るように支持されている。可動は３２の刃部とは反対の端部にはコ字形のカム部材３３が形成され、シザースプレート２６にピン３４で支持されているロータリーハンマー３５の突部３６と係合している。３７，３８はロータリーハンマー３５のストッパー部で、サイドプレート２に植立したピン３９に当接するロータリーハンマー３５を旋回しロータリーハンマー３５の突部３６と可動刃のカム部材３５を介して可動刃を引き込み或いは突出する。
【００１３】
次に、本発明装置の作用につき説明する。
使用する糸を選択するためのアクチエータ６を作動させる。選択されたアクチエータ６に対応するセレクタープレート８のセレクターバット９はアクチエータ６の揺動爪７により押し下げられセレクタープレート８は押し下げられ、セレクタープレート８と嵌合しているロックレバー１２，１３は時計針方向に旋回動し、ロックレバー１２はフィンガープレート１４の押出しバット１５を押しフィンガープレート１４の昇降バット２３を図１で左方向に押し出す。
【００１４】
このため昇降バット２３は、フィンガープレート移動カム２４と接しそのカム面で押し下げられ、フィンガープレート１４は位置決めスプリング２０とフィンガープレート１４の凹部２１とが嵌合しフィンガープレート１４は位置決めされる。上記フィンガープレート１４の下降につれシザースプレート２６はピン２７を中心に時計針方向に旋回し、ロータリーハンマー３５のストッパー部３８はピン３９に当接し、ロータリーハンマー３５は反時計針方向に旋回し、突部３６は、カム部材３３を介して板ばね３１，糸押えプレート３０を引き上げ糸端を開放する。このとき針３により編地の編成は開始される。
【００１５】
次にシザースプレート２６の帰復であるが、編機の回転によりフィンガープレート作動カム２５と、フィンガープレート１４の昇降バット２３が接し、同カム２５によってフィンガープレート１４は上昇を始める。この上昇により前記下降時とは逆にシザースプレート２６は、図１においてピン１９を中心に反時計針方向に旋回し、垂直方向に垂下していたシザースプレート２６を傾斜状態に戻す。その際に、ロータリーハンマー３５はストッパー部３７をピン３９に当接するためロータリーハンマー３５は回転しカム部３３を介して可動刃３２，糸押えプレート３０，板ばね３１等を進出させ編糸４０を切断すると共にシザース先端に保持する。
【００１６】
上記の如く、本発明装置にあっては糸切断把持部材を有するシザースプレートを単にシリンダの針列上で揺動させるのみで給糸を行うことが可能であり、ダイヤル針を迂回して給糸するが如き手段を必要としない。
【図面の簡単な説明】
【００１７】
【図１】本発明装置の側板を取り除いた状態の側面図。
【図２】フィンガープレートの側面図。
【図３】シーザースプレートの側面図。
【図４】ロータリーハンマーの側面図。
【図５】糸切断把持部材の側面図。
【図６】フィンガープレート作動カム配置図。
【符号の説明】
【００１８】
１  給糸装置
２  サイドプレート
３  シリンダ針
４  ブラケット
５  シリンダ
６  アクチエータ
７  揺動爪
８  セレクタープレート
９  セレクターバット
１０，１８，１９，２７，３４，３９  ピン
１１，２０  スプリング
１２，１３  ロックレバー
１４  フィンガープレート
１５  押出用バット
１６  コ字状孔
１７  長孔
２１，２２  凹部
２３  昇降バット
２４，２５  フィンガープレート移動カム
２６  シーザースプレート
２８  糸路
２９  固定刃
３０  糸押えプレート
３１  糸ばね
３２  可動刃
３３  カム部材
３５  ロータリーハンマー
３６  突部
３７，３８  ストッパー部
４０  編糸
【図１】
2007270365.tif 000003
【図２】
2007270365.tif 000004
【図３】
2007270365.tif 000005
【図４】
2007270365.tif 000006
【図５】
2007270365.tif 000007
【図６】
2007270365.tif 000008